(57)【特許請求の範囲】
【請求項１】
物体側より順に、負の屈折力の第１レンズ群Ｇ１、正の屈折力の第２レンズ群Ｇ２からなり、
前記第１レンズ群Ｇ１は、負の屈折力の第１Ａレンズ群Ｇ１Ａ、負の屈折力の第１Ｂレンズ群Ｇ１Ｂで構成され、
さらに、前記第１Ａレンズ群Ｇ１Ａは、物体側から順に、負メニスカスレンズの第１レンズＬ１、少なくとも１面に非球面を有する負メニスカスレンズの第２レンズＬ２で構成され、
前記第１Ｂレンズ群Ｇ１Ｂは、最も物体側に少なくとも１面に非球面を有する負メニスカスレンズＬ３を有し、
フォーカシングの際、前記第１Ｂレンズ群Ｇ１Ｂを物体側に移動させ、
以下の条件を満足することを特徴とする超広角レンズ系。
（１）１．０＜｜ｆ１／ｆｗ｜＜２．０
（２）１．０＜ｆ１Ｂ／ｆ１Ａ＜３．０
（３）３．０＜ｆ２／ｆｗ＜５．０
但し、
ｆｗ：レンズ全系の焦点距離、又は、広角端におけるレンズ全系の焦点距離
ｆ１：第１レンズ群Ｇ１の焦点距離
ｆ１Ａ：第１Ａレンズ群Ｇ１Ａの焦点距離
ｆ１Ｂ：第１Ｂレンズ群Ｇ１Ｂの焦点距離
ｆ２：第２レンズ群Ｇ２の焦点距離、又は、広角端における第２レンズ群Ｇ２の焦点距離
【請求項２】
前記第２レンズ群Ｇ２内において、最も像面側に、少なくとも１面に非球面を有する正レンズユニットＬ２ａｓｐを有し、
以下の条件を満足することを特徴とする請求項１に記載の超広角レンズ系。
（４）２.０＜ｆ２ａｓｐ／ｆ２＜５．０
但し、
ｆ２ａｓｐ：第２レンズ群Ｇ２内の少なくとも１面に非球面を有する正レンズユニットＬ２ａｓｐの焦点距離
ｆ２：第２レンズ群Ｇ２の焦点距離、又は、広角端における第２レンズ群Ｇ２の焦点距離
【請求項３】
物体側より順に、負の屈折力の第１レンズ群Ｇ１、正の屈折力の第２レンズ群Ｇ２からなり、
前記第１レンズ群Ｇ１は、負の屈折力の第１Ａレンズ群Ｇ１Ａ、負の屈折力の第１Ｂレンズ群Ｇ１Ｂで構成され、
さらに、前記第１Ａレンズ群Ｇ１Ａは、物体側から順に、負メニスカスレンズの第１レンズＬ１、少なくとも１面に非球面を有する負メニスカスレンズの第２レンズＬ２で構成され、
前記第１Ｂレンズ群Ｇ１Ｂは、最も物体側に少なくとも１面に非球面を有する負メニスカスレンズＬ３を有し、
フォーカシングの際、前記第１Ｂレンズ群Ｇ１Ｂを物体側に移動させ、
前記第２レンズ群Ｇ２は、第２Ａレンズ群Ｇ２Ａ、第２Ｂレンズ群Ｇ２Ｂ、第２Ｃレンズ群Ｇ２Ｃで構成され、
広角端側から望遠端側へのズーミングの際、
前記第１レンズ群Ｇ１と前記第２Ａレンズ群Ｇ２Ａとの間隔が減少し、前記第２Ａレンズ群Ｇ２Ａと前記第２Ｂレンズ群Ｇ２Ｂとの間隔が減少し、前記第２Ｂレンズ群Ｇ２Ｂと前記第２Ｃレンズ群Ｇ２Ｃとの間隔が増加し、
以下の条件を満足することを特徴とする超広角ズームレンズ。
（１）１．０＜｜ｆ１／ｆｗ｜＜２．０
（２）１．０＜ｆ１Ｂ／ｆ１Ａ＜３．０
（３）３．０＜ｆ２／ｆｗ＜５．０
但し、
ｆｗ：広角端におけるレンズ全系の焦点距離
ｆ１：第１レンズ群Ｇ１の焦点距離
ｆ１Ａ：第１Ａレンズ群Ｇ１Ａの焦点距離
ｆ１Ｂ：第１Ｂレンズ群Ｇ１Ｂの焦点距離
ｆ２：広角端における第２レンズ群Ｇ２の焦点距離
【請求項４】
前記第２レンズ群Ｇ２内において、最も像面側に、少なくとも１面に非球面を有する正レンズユニットＬ２ａｓｐを有し、
以下の条件を満足することを特徴とする請求項３に記載の超広角ズームレンズ。
（４）２.０＜ｆ２ａｓｐ／ｆ２＜５．０
但し、
ｆ２ａｓｐ：第２レンズ群Ｇ２内の少なくとも１面に非球面を有する正レンズユニットＬ２ａｓｐの焦点距離
ｆ２：広角端における第２レンズ群Ｇ２の焦点距離
【請求項５】
前記第２Ａレンズ群Ｇ２Ａと前記第２Ｃレンズ群Ｇ２Ｃについて、
以下の条件を満足することを特徴とする請求項３乃至請求項４のいずれかに記載の超広角ズームレンズ。
（５）５．０＜ｆ２Ａ／ｆｗ＜１５ .０
（６）５．０＜｜ｆ２Ｃ／ｆｗ｜
但し、
ｆｗ：広角端におけるレンズ全系の焦点距離
ｆ２Ａ：第２Ａレンズ群Ｇ２Ａの焦点距離
ｆ２Ｃ：第２Ｃレンズ群Ｇ２Ｃの焦点距離
【請求項６】
前記第２Ｂレンズ群Ｇ２Ｂについて、以下の条件を満足することを特徴とする請求項３乃至請求項５のいずれかに記載の超広角ズームレンズ。
(７）２．０＜ｆ２Ｂ／ｆｗ＜１０．０
但し、
ｆｗ：広角端におけるレンズ全系の焦点距離
ｆ２Ｂ：第２Ｂレンズ群Ｇ２Ｂの焦点距離
【請求項７】
前記第２Ｃレンズ群Ｇ２Ｃは、少なくとも１枚の負レンズと少なくとも１枚の正レンズからなる接合負レンズユニットＬ２ＣＪを有し、
以下の条件を満足することを特徴とする請求項３乃至請求項６のいずれかに記載の超広角ズームレンズ。
(８)−１５．０＜ｆ２ＣＪ／ｆｗ＜−２．０
但し、
ｆｗ：広角端におけるレンズ全系の焦点距離
ｆ２ＣＪ：第２Ｃレンズ群Ｇ２Ｃ内の接合負レンズユニットＬ２ＣＪの焦点距離
【請求項８】
前記第２Ｃレンズ群Ｇ２Ｃ内の接合負レンズユニットＬ２ＣＪは、
以下の条件を満足することを特徴とする請求項３乃至請求項７のいずれかに記載の超広角ズームレンズ。
(９)Ｎｄ２ＣＮ＞１．８
(１０)νｄ２ＣＰ＞８０
但し、
Ｎｄ２ＣＮ：接合負レンズユニットＬ２ＣＪ内における少なくとも１枚の負レンズの屈折率
νｄ２ＣＰ：接合負レンズユニットＬ２ＣＪ内における少なくとも１枚の正レンズのアッベ数
【発明の詳細な説明】
【技術分野】
【０００１】
本発明は、デジタルカメラ、銀塩カメラ、ビデオカメラ等に用いられるレンズに関するもので、撮影画角が１２０°を超える超広角レンズ系でありながら、コンパクトであり、フォーカシングによる収差変動の少ない高性能インナーフォーカス方式を採用する超広角レンズ系に関するものである。
【背景技術】
【０００２】
従来、画角が１２０°を超える超広角レンズ系が、例えば以下の特許文献等に記載されている。
【０００３】
特許文献１には、画角が１２０°を超える超広角レンズ系が開示されている。
【０００４】
特許文献２には、インナーフォーカス方式を採用し、画角が１２０°を超える超広角レンズ系が開示されている。
【先行技術文献】
【特許文献】
【０００５】
【特許文献１】特開２００１−１２４９８５号公報
【０００６】
【特許文献２】特開２００５−１０６８７８号公報
【発明の概要】
【発明が解決しようとする課題】
【０００７】
特許文献１に記載された超広角レンズ系は、そもそも一眼レフタイプのカメラのレンズ系として適応させるにはバックフォーカスが短すぎるという問題があった。
【０００８】
特許文献２に記載された超広角レンズ系では、デジタルカメラに適用すると周辺光量が不十分となる問題があった。
【０００９】
上記の周辺光量不足を改善するには、一般的にレンズ径をアップさせる必要がある。
【００１０】
しかしながら、特許文献２に記載された超広角レンズ系では、入射角が大きくなる第１レンズ群に、大口径の非球面レンズを採用しておらず周辺性能の収差補正が困難なことや、第４レンズ群の偏芯敏感度が大きく、第４レンズ群のレンズ径をアップすることが困難であることから、十分な周辺光量を確保できない問題が残存していた。
【００１１】
また、特許文献２に記載の超広角レンズ系では、第４レンズ群等の偏芯敏感度が大きく、鏡枠の組み立てが容易ではないという問題があった。
【００１２】
また、特許文献２に記載の超広角レンズ系は、超広角ズームレンズであり、広角端側において、画面周辺での性能低下を小さくすることとしているため、超広角レンズ系で一般的に問題となる倍率色収差の補正を行うことを重視した結果、軸上色収差の補正が不十分である問題が残存していた。
【００１３】
本発明は、上記課題を解決し、コンパクトであり、フォーカシングによる収差変動が少なく、画角が１２０°を超える超広角レンズ系の提供を目的とする。
【課題を解決するための手段】
【００１４】
上記課題を解決するために、本発明に係る超広角レンズ系は、物体側より順に、負の屈折力の第１レンズ群Ｇ１、正の屈折力の第２レンズ群Ｇ２からなり、前記第１レンズ群Ｇ１は、負の屈折力の第１Ａレンズ群Ｇ１Ａ、負の屈折力の第１Ｂレンズ群Ｇ１Ｂで構成され、さらに、前記第１Ａレンズ群Ｇ１Ａは、物体側から順に、負メニスカスレンズの第１レンズＬ１、少なくとも１面に非球面を有する負メニスカスレンズの第２レンズＬ２で構成され、前記第１Ｂレンズ群Ｇ１Ｂは、最も物体側に少なくとも１面に非球面を有する負メニスカスレンズＬ３を有し、フォーカシングの際、前記第１Ｂレンズ群Ｇ１Ｂを物体側に移動させることを特徴とし、
下記の条件を満足することとする。
（１）１．０＜｜ｆ１／ｆｗ｜＜２．０
（２）１．０＜ｆ１Ｂ／ｆ１Ａ＜３．０
（３）３．０＜ｆ２／ｆｗ＜５．０
但し、
ｆｗ：レンズ全系の焦点距離、又は、広角端におけるレンズ全系の焦点距離
ｆ１：第１レンズ群Ｇ１の焦点距離
ｆ１Ａ：第１Ａレンズ群Ｇ１Ａの焦点距離
ｆ１Ｂ：第１Ｂレンズ群Ｇ１Ｂの焦点距離
ｆ２：第２レンズ群Ｇ２の焦点距離、又は、広角端における第２レンズ群Ｇ２の焦点距離
【００１５】
さらに、本発明に係る超広角レンズ系は、前記第２レンズ群Ｇ２内において、最も像面側に、少なくとも１面に非球面を有する正レンズユニットＬ２ａｓｐを有し、以下の条件を満足することが望ましい。
（４）２.０＜ｆ２ａｓｐ／ｆ２＜５．０
但し、
ｆ２ａｓｐ：第２レンズ群Ｇ２内の少なくとも１面に非球面を有する正レンズユニットＬ２ａｓｐの焦点距離
ｆ２：第２レンズ群Ｇ２の焦点距離、又は、広角端における第２レンズ群Ｇ２の焦点距離
【００１６】
また、本発明に係る超広角ズームレンズは、前記第２レンズ群Ｇ２は、第２Ａレンズ群Ｇ２Ａ、第２Ｂレンズ群Ｇ２Ｂ、第２Ｃレンズ群Ｇ２Ｃで構成され、広角端側から望遠端側へのズーミングの際、前記第１レンズ群Ｇ１と前記第２Ａレンズ群Ｇ２Ａとの間隔が減少し、前記第２Ａレンズ群Ｇ２Ａと前記第２Ｂレンズ群Ｇ２Ｂとの間隔が減少し、記第２Ｂレンズ群Ｇ２Ｂと前記第２Ｃレンズ群Ｇ２Ｃとの間隔が増加することを特徴とし、さらに、下記の条件を満足することが望ましい。
（５）５．０＜ｆ２Ａ／ｆｗ＜１５ .０
（６）５．０＜｜ｆ２Ｃ／ｆｗ｜
但し、
ｆｗ：広角端におけるレンズ全系の焦点距離
ｆ２Ａ：第２Ａレンズ群Ｇ２Ａの焦点距離
ｆ２Ｃ：第２Ｃレンズ群Ｇ２Ｃの焦点距離
【００１７】
さらに、本発明に係る超広角ズームレンズは、第２Ｂレンズ群Ｇ２Ｂが、下記の条件を満足することが望ましい。
(７）２．０＜ｆ２Ｂ／ｆｗ＜１０．０
但し、
ｆｗ：広角端におけるレンズ全系の焦点距離
ｆ２Ｂ：第２Ｂレンズ群Ｇ２Ｂの焦点距離
【００１８】
さらに、本発明に係る超広角ズームレンズは、前記第２Ｃレンズ群Ｇ２Ｃは、少なくとも１枚の負レンズと少なくとも１枚の正レンズからなる接合負レンズユニットＬ２ＣＪを有し、以下の条件を満足することが望ましい。
(８)−１５．０＜ｆ２ＣＪ／ｆｗ＜−２．０
但し、
ｆｗ：広角端におけるレンズ全系の焦点距離
ｆ２ＣＪ：第２Ｃレンズ群Ｇ２Ｃ内の接合負レンズユニットＬ２ＣＪの焦点距離
【００１９】
さらに、本発明に係る超広角ズームレンズは、前記第２Ｃレンズ群Ｇ２Ｃ内の接合負レンズユニットＬ２ＣＪは、以下の条件を満足することが望ましい。
(９)Ｎｄ２ＣＮ＞１．８
(１０)νｄ２ＣＰ＞８０
但し、
Ｎｄ２ＣＮ：接合負レンズユニットＬ２ＣＪ内における少なくとも１枚の負レンズの屈折率
νｄ２ＣＰ：接合負レンズユニットＬ２ＣＪ内における少なくとも１枚の正レンズのアッベ数
【発明の効果】
【００２０】
本発明によれば、デジタルカメラ、銀塩カメラ、ビデオカメラ等に用いられるレンズ系であって、撮影画角が１２０°を超える超広角レンズ系でありながら、コンパクトであり、フォーカシングによる収差変動が少ない、高性能インナーフォーカス方式の超広角レンズ系を提供することができる。
【図面の簡単な説明】
【００２１】
【図１】実施例１の超広角レンズの無限遠におけるレンズ断面図
【図２】実施例１の超広角レンズの無限遠における縦収差図
【図３】実施例１の超広角レンズの撮影倍率１／４０倍における縦収差図
【図４】実施例１の超広角レンズの無限遠における横収差図
【図５】実施例１の超広角レンズの撮影倍率１／４０倍における横収差図
【図６】実施例２の超広角レンズの無限遠におけるレンズ断面図
【図７】実施例２の超広角レンズの無限遠における縦収差図
【図８】実施例２の超広角レンズの撮影倍率１／４０倍における縦収差図
【図９】実施例２の超広角レンズの無限遠における横収差図
【図１０】実施例２の超広角レンズ系の撮影倍率１／４０倍における横収差図
【図１１】実施例３の超広角ズームレンズの広角端の無限遠におけるレンズ断面図
【図１２】実施例３の超広角ズームレンズの広角端の無限遠における縦収差図
【図１３】実施例３の超広角ズームレンズの広角端の撮影倍率１／４０倍における縦収差図
【図１４】実施例３の超広角ズームレンズの中間焦点距離の無限遠における縦収差図
【図１５】実施例３の超広角ズームレンズの中間焦点距離の撮影倍率１／４０倍における縦収差図
【図１６】実施例３の超広角ズームレンズの望遠端の無限遠における縦収差図
【図１７】実施例３の超広角ズームレンズの望遠端の撮影倍率１／４０倍における縦収差図
【図１８】実施例３の超広角ズームレンズの広角端の無限遠における横収差図
【図１９】実施例３の超広角ズームレンズの広角端の撮影倍率１／４０倍における横収差図
【図２０】実施例３の超広角ズームレンズの中間焦点距離の無限遠におけるの横収差図
【図２１】実施例３の超広角ズームレンズの中間焦点距離の撮影倍率１／４０倍における横収差図
【図２２】実施例３の超広角ズームレンズの望遠端の無限遠における横収差図
【図２３】実施例３の超広角ズームレンズの望遠端の撮影倍率１／４０倍における横収差図
【図２４】実施例４の超広角ズームレンズの広角端の無限遠におけるレンズ断面図
【図２５】実施例４の超広角ズームレンズの広角端の無限遠における縦収差図
【図２６】実施例４の超広角ズームレンズの広角端の撮影倍率１／４０倍における縦収差図
【図２７】実施例４の超広角ズームレンズの中間焦点距離の無限遠における縦収差図
【図２８】実施例４の超広角ズームレンズの中間焦点距離の撮影倍率１／４０倍における縦収差図
【図２９】実施例４の超広角ズームレンズの望遠端の無限遠における縦収差図
【図３０】実施例４の超広角ズームレンズの望遠端の撮影倍率１／４０倍における縦収差図
【図３１】実施例４の超広角ズームレンズの広角端の無限遠における横収差図
【図３２】実施例４の超広角ズームレンズの広角端の撮影倍率１／４０倍における横収差図
【図３３】実施例４の超広角ズームレンズの中間焦点距離の無限遠における横収差図
【図３４】実施例４の超広角ズームレンズの中間焦点距離の撮影倍率１／４０倍における横収差図
【図３５】実施例４の超広角ズームレンズの望遠端の無限遠における横収差図
【図３６】実施例４の超広角ズームレンズの望遠端の撮影倍率１／４０倍における横収差図
【図３７】実施例５の超広角ズームレンズの広角端の無限遠におけるレンズ断面図
【図３８】実施例５の超広角ズームレンズの広角端の無限遠における縦収差図
【図３９】実施例５の超広角ズームレンズの広角端の撮影倍率１／４０倍における縦収差図
【図４０】実施例５の超広角ズームレンズの中間焦点距離の無限遠における縦収差図
【図４１】実施例５の超広角ズームレンズの中間焦点距離の撮影倍率１／４０倍における縦収差図
【図４２】実施例５の超広角ズームレンズの望遠端の無限遠における縦収差図
【図４３】実施例５の超広角ズームレンズの望遠端の撮影倍率１／４０倍における縦収差図
【図４４】実施例５の超広角ズームレンズの広角端の無限遠における横収差図
【図４５】実施例５の超広角ズームレンズの広角端の撮影倍率１／４０倍における横収差図
【図４６】実施例５の超広角ズームレンズの中間焦点距離の無限遠における横収差図
【図４７】実施例５の超広角ズームレンズの中間焦点距離の撮影倍率４０倍における横収差図
【図４８】実施例５の超広角ズームレンズの望遠端の無限遠における横収差図
【図４９】実施例５の超広角ズームレンズの望遠端の撮影倍率１／４０倍における横収差図
【図５０】実施例６の超広角ズームレンズの広角端の無限遠におけるレンズ断面図
【図５１】実施例６の超広角ズームレンズの広角端の無限遠における縦収差図
【図５２】実施例６の超広角ズームレンズの広角端の撮影倍率１／４０倍における縦収差図
【図５３】実施例６の超広角ズームレンズの中間焦点距離の無限遠における縦収差図
【図５４】実施例６の超広角ズームレンズの中間焦点距離の撮影倍率１／４０倍における縦収差図
【図５５】実施例６の超広角ズームレンズの望遠端の無限遠における縦収差図
【図５６】実施例６の超広角ズームレンズの望遠端の撮影倍率１／４０倍における縦収差図
【図５７】実施例６の超広角ズームレンズの広角端の無限遠における横収差図
【図５８】実施例６の超広角ズームレンズの広角端の撮影倍率１／４０倍における横収差図
【図５９】実施例６の超広角ズームレンズの中間焦点距離の無限遠における横収差図
【図６０】実施例６の超広角ズームレンズの中間焦点距離の撮影倍率１／４０倍における横収差図
【図６１】実施例６の超広角ズームレンズの望遠端の無限遠における横収差図
【図６２】実施例６の超広角ズームレンズの望遠端の撮影倍率１／４０倍における横収差図
【発明を実施するための形態】
【００２２】
本発明の超広角レンズ系は、物体側より順に、負の屈折力の第１レンズ群Ｇ１、正の屈折力の第２レンズ群Ｇ２からなり、前記第１レンズ群Ｇ１は、負の屈折力の第１Ａレンズ群Ｇ１Ａ、負の屈折力の第１Ｂレンズ群Ｇ１Ｂで構成され、さらに、前記第１Ａレンズ群Ｇ１Ａは、物体側から順に、負メニスカスレンズの第１レンズＬ１、少なくとも１面に非球面を有する負メニスカスレンズの第２レンズＬ２で構成され、前記第１Ｂレンズ群Ｇ１Ｂは、最も物体側に少なくとも１面に非球面を有する負メニスカスレンズＬ３を有し、フォーカシングの際、前記第１Ｂレンズ群Ｇ１Ｂを物体側に移動させることを特徴としている。
【００２３】
本発明に係る実施例では、第１Ａレンズ群Ｇ１Ａを構成する第１レンズＬ１及び第２レンズＬ２において、それぞれ物体側に凸面を向けた負メニスカスレンズを採用している。
【００２４】
本発明は、画角が１２０°を超える超広角レンズ系の提供を目的としており、周辺画角における入射角の傾きが大きい光線を適切に導くことが重要となる。
【００２５】
また、超広角レンズ系においては、十分なバックフォーカスを確保するため、レトロフォーカスタイプが好ましく、前方に位置する負レンズ部の負レンズの屈折力を強くする必要がある。
【００２６】
さらに、周辺画角における傾きが大きい光線の入射角及び射出角に対応するために、レンズ周辺部にて適切なレンズ面の傾き角を設定する必要がある。
【００２７】
したがって、本発明では、第１Ａレンズ群Ｇ１Ａを構成する２枚の負メニスカスレンズにおいて、適切な屈折力の配分を行い、全体として十分な負の屈折力を得つつ、非点収差の発生を抑えることができる構成を目的とした。また、第１Ａレンズ群Ｇ１Ａを負メニスカスレンズ２枚のみで構成することにより、超広角レンズ系全体のコンパクト化にも有効な構成とした。
【００２８】
さらに、本発明における第１Ａレンズ群Ｇ１Ａを構成する第２レンズＬ２には、少なくとも１面に非球面を採用することとした。
【００２９】
ここで、負メニスカスレンズの屈折力の設定について説明する。
【００３０】
負メニスカスレンズにおいては、最も物体側のレンズ面の中心部に位置する凸面の近軸曲率を小さくすることで、十分な負の屈折力を得ることができる。
【００３１】
本発明においては、第２レンズＬ２の物体側のレンズ面の近軸曲率を小さくすると、レンズ面周辺部での入射光に対するレンズ面の傾き角が小さくなり、周辺光束に対して 垂直なレンズ面の傾き角を得られず、収差補正において不利となってしまう。そこで、最も物体側のレンズ面中心部の近軸曲率を小さく維持したまま、このレンズ面に非球面を採用し、レンズ径の周辺部にいくにしたがって強い正の屈折力もたせることで、レンズ周辺部での周辺光束に対する適切なレンズ面の傾き角を得ることができ、負の屈折力を得ることと収差補正の効果を得ることを両立することができる。
【００３２】
また、負メニスカスレンズの負の屈折力を強くするには、最も像面側の中心部に位置する凹面の近軸曲率を大きくすることが有効である。
【００３３】
しかしながら、最も像面側の凹面で中心部の近軸曲率を大きくすることにより負メニスカスレンズの負の屈折力を強くすると、レンズ周辺部でのレンズ面の傾き角がきつくなるため、負メニスカスレンズの加工性が悪化してしまう。そこで、負メニスカスレンズの最も像面側のレンズ面に非球面を採用することで、レンズ周辺部の傾き角を適切にコントロールし、周辺光束に対して適切な収差補正をしつつ、レンズの加工性を向上することができる。
【００３４】
ここで、反対に、負メニスカスレンズの屈折力を弱くするには、最も物体側の中心部に位置する凸面の近軸曲率を大きくすることが有効である。しかしながら、最も物体側のレンズ面の近軸曲率を大きくすると、レンズ周辺部での周辺光束に対するレンズ面の傾き角が小さくなるため、レンズの加工性が悪くなる。
【００３５】
そこで、最も物体側のレンズ面に非球面を採用することで、レンズ周辺部での光束に対するレンズ面の傾き角を直角に近づけることにより、周辺光束に対して適切なレンズ周辺部のレンズ面の傾き角を得ることができ、周辺光束に対して適切な収差補正をしつつの加工性を向上させることができる。
【００３６】
上記の通り、負メニスカスレンズにおいて、いずれかのレンズ面に非球面を採用することで、負の屈折力を適切にコントロールしつつ、周辺光束に対して適切なレンズ周辺部でのレンズ面の傾き角を得ることができ、また、適切な収差補正とレンズの加工性にも配慮することができる。
【００３７】
さらに、本発明において、フォーカシングに用いる第１Ｂレンズ群Ｇ１Ｂに含まれるレンズのうち、最も物体側に配置される第３レンズＬ３にも、第１レンズＬ１、第２レンズＬ２と同様、負メニスカスレンズを採用している。
【００３８】
本発明は、画角が１２０度を超える超広角レンズ系を目的としており、入射光線の傾きが大きな周辺光束に対して光線を導く第１Ａレンズ群Ｇ１Ａの２枚の負メニスカスレンズの屈折力だけでは不十分であり、第１Ａレンズ群Ｇ１Ａからの光線の射出角は依然として大きいままであるため、第１Ｂレンズ群Ｇ１Ｂにおいても入射光線の傾きをさらに小さくする必要がある。
【００３９】
そのため、第３レンズＬ３にも、第１レンズＬ１と第２レンズＬ２と同様に、物体側に凸面を向けた負メニスカスレンズを採用することとしている。
【００４０】
こうすることで、周辺光束に対して適切なレンズ周辺部でのレンズ面の傾き角を得ることができ、周辺光束の収差補正を十分に行いつつ、フォーカシングの際、撮影距離が異なることによる光線の入射角の変化に対して、収差変動が小さいレンズ系を得ることができる。
【００４１】
さらに、第３レンズＬ３においても、第２レンズＬ２と同様に、負メニスカスレンズの少なくとも１面に非球面を採用することで、周辺光束に対して適切なレンズ面の傾き角を得ることにより、周辺光束の収差補正を十分に行うことができる。また、フォーカシングの際、撮影距離が異なることによる光線の入射角の変化に対して、収差変動の小さい光学系を得ることができる。
【００４２】
本発明では、画角が１２０°を超える超広角レンズ系を得ることを目的としており、光線の入射角が大きく変化する画面中心部、画面中間画角部、画面周辺部の収差バランスを適切にとることが重要である。
【００４３】
本発明では、第１Ａレンズ群Ｇ１Ａに含まれる非球面を採用する２枚の負メニスカスレンズの形状を適切にコントロールすることで、撮影画面全体で収差バランスをとりつつ、フォーカシングによる収差変動を減らす手段をとっている。
【００４４】
そのため、本発明は、次の条件式（１）及び条件式（２）を満足することを特徴としている。
（１）１．０＜｜ｆ１／ｆｗ｜＜２．０
（２）１．０＜ｆ１Ｂ／ｆ１Ａ＜３．０
但し、
ｆｗ：レンズ全系の焦点距離、又は、広角端におけるレンズ全系の焦点距離
ｆ１：第１レンズ群Ｇ１の焦点距離
ｆ１Ａ：第１Ａレンズ群Ｇ１Ａの焦点距離
ｆ１Ｂ：第１Ｂレンズ群Ｇ１Ｂの焦点距離
【００４５】
条件式（１）は、本発明のレトロフォーカスタイプの超広角レンズ系において、レンズ全系の焦点距離に対する第１レンズ群Ｇ１の焦点距離の比を規定するものである。
【００４６】
ただし、超広角ズームレンズに本発明を適用する場合には、レンズ全系の焦点距離は、ズーム広角端におけるレンズ全系の焦点距離を採用する。
【００４７】
条件式(１)の下限を超えると、第１レンズ群Ｇ１の負の屈折力が強くなり、レンズ全系のコンパクト化には有効であるが、像面湾曲の補正が困難になってしまう。
【００４８】
また、条件式(１)の上限を超えると、第１レンズ群Ｇ１の負の屈折力が弱くなり、レンズ全系のコンパクト化が実現できない。
【００４９】
本発明の超広角レンズ系のフォーカシングにおいては、第１Ａレンズ群Ｇ１Ａに大口径な負メニスカスレンズを配置することが必要となるため、フォーカスレンズの軽量化が課題となる。また、フォーカシングによる像面湾曲の発生が課題となり、フォーカシングにインナーフォーカスを採用することで、フローティングによる収差補正が効果が付加される。
【００５０】
条件式(２)は、本発明の超広角レンズ系において、第１Ａレンズ群Ｇ１Ａの焦点距離と第１Ｂレンズ群Ｇ１Ｂの焦点距離との比を規定するものである。
【００５１】
条件式(２)の下限を超えると、第１Ｂレンズ群Ｇ１Ｂの屈折力が大きくなるのでフォーカシングによる収差変動が大きくなってしまう。また、第１Ａレンズ群Ｇ１Ａの屈折力が小さくなり、画角が１２０°を超える入射光線を適切に屈折させるための必要十分な屈折力が得られないおそれがある。
【００５２】
また、条件式(２)の上限を超えると、第１Ｂレンズ群Ｇ１Ｂの屈折力が小さくなるため、第１Ｂレンズ群Ｇ１Ｂの近距離撮影時のフォーカス移動量が大きくなってしまう。
そのため、第１Ａレンズ群Ｇ１Ａと第１Ｂレンズ群Ｇ１Ｂとのレンズ間隔を大きくする必要があり、レンズ系全体のコンパクト化が実現できない。
【００５３】
また、本発明の超広角レンズ系は、デジタル一眼レフ等、バックフォーカスを十分に取る必要のあるカメラシステムに対応するため、第２レンズ群Ｇ２の焦点距離を適切に設定する必要がある。
【００５４】
そのため、本発明は、次の条件式（３）を満足することを特徴としている。
（３）３．０＜ｆ２／ｆｗ＜５．０
但し、
ｆｗ：レンズ全系の焦点距離、又は、広角端におけるレンズ全系の焦点距離
ｆ２：第２レンズ群Ｇ２の焦点距離、又は、広角端における第２レンズ群Ｇ２の焦点距離
【００５５】
条件式(３)は、レトロフォーカスタイプの超広角レンズ系において、レンズ全系の焦点距離に対する第２レンズ群Ｇ２の焦点距離の比を規定するものである。
【００５６】
ただし、超広角ズームレンズに本発明を適用する場合には、レンズ全系の焦点距離は、ズーム広角端におけるレンズ全系の焦点距離を採用し、第２レンズ群Ｇ２の焦点距離は、ズーム広角端における第２レンズ群Ｇ２の焦点距離を採用する。
【００５７】
条件式(３)の下限を超えると、第２レンズ群の焦点距離が短くなり、レンズ系全体のコンパクト化には有効であるが、各レンズの曲率が大きくなるので、超広角レンズ系で課題となる非点収差、コマ収差等の収差補正が困難になる。
【００５８】
条件式(３)の上限を超えると、第２レンズ群Ｇ２の焦点距離が長くなり、収差補正には有利となるが、レンズ系全体のコンパクト化が困難になる。
【００５９】
さらに、本発明では、十分な収差補正を行うため、第２レンズ群Ｇ２内において、最も像面側の正レンズユニットの少なくとも１面に非球面を採用し、次の条件式（４）を満足することが望ましい。
（４）２.０＜ｆ２ａｓｐ／ｆ２＜５．０
但し、
ｆ２ａｓｐ：第２レンズ群Ｇ２内の少なくとも１面に非球面を有する正レンズユニットＬ２ａｓｐの焦点距離
ｆ２：第２レンズ群Ｇ２の焦点距離、又は、広角端における第２レンズ群Ｇ２の焦点距離
【００６０】
ただし、超広角ズームレンズに本発明を適用する場合には、第２レンズ群Ｇ２の焦点距離は、ズーム広角端における第２レンズ群Ｇ２の焦点距離を採用する。
【００６１】
特許文献２において、最も像面側のレンズユニットには、強い負の屈折力を持つ光学系に非球面を採用することで効果的な収差補正が可能となる。 
しかしながら、第２レンズ群Ｇ２は全体として正の屈折力が強いため、最も像面側のレンズユニットを、非球面を有する負レンズユニットとすると、偏芯敏感度の増大によりレンズ鏡枠の組み立て精度を維持することが困難となり、生産上の問題が生じる。
【００６２】
そこで、本発明では、最も像面側のレンズユニットを、少なくとも１面に非球面を有する正レンズユニットとし、その屈折力を適切に設定することで、十分収差補正効果を得つつ、偏芯敏感度の小さなレンズ系を得ることを可能とした。
【００６３】
条件式(４)は、本発明の超広角レンズ系において、第２レンズ群Ｇ２の焦点距離に対する第２レンズ群Ｇ２内の最も像面側の非球面を有する正レンズユニットＬ２ａｓｐの焦点距離の比を規定するものである。
【００６４】
条件式(４)の下限を超えて正レンズユニットの焦点距離が短くなり、前記正レンズユニットＬ２ａｓｐの屈折力が大きくなると、周辺光束に対する屈折効果が強くなることから、非球面による周辺光束の収差補正効果が不十分となってしまう。
【００６５】
条件式(４)の上限を超えて正レンズユニットの焦点距離が長くなると、正レンズユニットＬ２ａｓｐよりも前に位置するの光学系から射出される周辺光束の屈折力が強くなるので、周辺光束に関して、正レンズユニットＬ２ａｓｐを通る際の入射角と射出角で光線の傾き変化が大きくなり、正レンズユニットＬ２ａｓｐの偏芯敏感度が増大してしまう。
【００６６】
次に、上記の本発明に係る超広角レンズ系を超広角ズームレンズに適用した実施例について説明する。
【００６７】
本発明に係る超広角ズームレンズは、本発明の超広角レンズ系の基本的特徴を維持しつつ、特に変倍について規定したものである。したがって、上述した条件式（１）乃至条件式（４）の説明は、以下の本発明に係る超広角ズームレンズの実施例についての説明において省略する。
【００６８】
本発明に係る超広角ズームレンズは、物体側より順に、負の屈折力の第１レンズ群Ｇ１、正の屈折力の第２レンズ群Ｇ２からなり、前記第１レンズ群Ｇ１は、負の屈折力の第１Ａレンズ群Ｇ１Ａ、負の屈折力の第１Ｂレンズ群Ｇ１Ｂで構成され、さらに、前記第１Ａレンズ群Ｇ１Ａは、物体側から順に、負メニスカスレンズの第１レンズＬ１、少なくとも１面に非球面を有する負メニスカスレンズの第２レンズＬ２で構成され、前記第１Ｂレンズ群Ｇ１Ｂは、最も物体側に少なくとも１面に非球面を有する負メニスカスレンズＬ３を有し、フォーカシングの際、前記第１Ｂレンズ群Ｇ１Ｂを物体側に移動させ、前記第２レンズ群Ｇ２は、第２Ａレンズ群Ｇ２Ａ、第２Ｂレンズ群Ｇ２Ｂ、第２Ｃレンズ群Ｇ２Ｃで構成され、広角端側から望遠端側へのズーミングの際、前記第１レンズ群Ｇ１と前記第２Ａレンズ群Ｇ２Ａとの間隔が減少し、前記第２Ａレンズ群Ｇ２Ａと前記第２Ｂレンズ群Ｇ２Ｂとの間隔が減少し、前記第２Ｂレンズ群Ｇ２Ｂと前記第２Ｃレンズ群Ｇ２Ｃとの間隔が増加する構成であり、画角が１２０°を超える超広角ズームレンズである。
【００６９】
本発明の超広角ズームレンズにおいて、第２Ａレンズ群Ｇ２Ａの焦点距離を適切に設定し、第１レンズ群Ｇ１からの強い発散光束を収束させることで、第２Ａレンズ群Ｇ２Ａからの射出角を略アフォーカルに設定することにより、広角端側の周辺光線をカットすることなく、第２Ａレンズ群Ｇ２Ａにより中間域から望遠で上光線フレアーを適切な光線高さでカットすることができる。
【００７０】
さらに、第２Ｃレンズ群Ｇ２Ｃの焦点距離を適切に設定することで、ズーム全域において十分な光学性能を得つつ、第２Ｃレンズ群Ｇ２Ｃの偏芯敏感度を適切にコントロールすることができる。
【００７１】
そのため、本発明は、次の条件式（５）（６）を満足することが望ましい。
（５）５．０＜ｆ２Ａ／ｆｗ＜１５ .０
（６）５．０＜｜ｆ２Ｃ／ｆｗ｜
但し、
ｆｗ：広角端におけるレンズ全系の焦点距離
ｆ２Ａ：第２Ａレンズ群Ｇ２Ａの焦点距離
ｆ２Ｃ：第２Ｃレンズ群Ｇ２Ｃの焦点距離
【００７２】
条件式(５)は、本発明の超広角ズームレンズにおいて、広角端でのレンズ全系の焦点距離に対する第２Ａレンズ群Ｇ２Ａの焦点距離の比を規定するものである。
【００７３】
条件式(５)の上限を超えると、第２Ａレンズ群Ｇ２Ａの焦点距離が長くなるので中心光束に対して十分な収束効果が得られず、適切なフレアーカット効果が得られない。
【００７４】
条件式(５)の下限を超えて第２Ａレンズ群Ｇ２Ａの焦点距離が短くなると、第１レンズ群Ｇ１の負の屈折力を強くする必要が生じ、コマ収差、非点収差の補正が困難になる。
【００７５】
条件式(６)は、本発明の超広角ズームレンズにおいて、広角端でのレンズ全系の焦点距離に対する第２Ｃレンズ群Ｇ２Ｃの焦点距離の比を規定するものである。
【００７６】
条件式(６)において、第２Ｃレンズ群Ｇ２Ｃが正の屈折力を有する場合、下限を超えると、第２Ｃレンズ群Ｇ２Ｃの正の屈折力が強くなるため、
各レンズ面の曲率が大きくなり、第２Ｃレンズ群Ｇ２Ｃ内のレンズユニットの偏芯敏感度が大きくなることにより、レンズ加工の際に求められる精度が極端にあがってしまう。
【００７７】
条件式(６)において、第２Ｃレンズ群Ｇ２Ｃが負の屈折力である場合、下限を超えると、第２Ｃレンズ群Ｇ２Ｃの負の屈折力が強くなるため、第２Ｃレンズ群Ｇ２Ｃ全体の偏芯敏感度が大きくなり、レンズ鏡枠の組み立てにおける生産性が困難となる。
【００７８】
また、本発明は、第２Ｂレンズ群Ｇ２Ｂの焦点距離が、条件式（７）を満足することが望ましい。
(７）２．０＜ｆ２Ｂ／ｆｗ＜１０．０
但し、
ｆｗ：広角端におけるレンズ全系の焦点距離
ｆ２Ｂ：第２Ｂレンズ群Ｇ２Ｂの焦点距離
【００７９】
条件式(７)は、本発明の超広角ズームレンズにおいて、広角端でのレンズ全系の焦点距離に対する第２Ｂレンズ群Ｇ２Ｂの焦点距離の比を規定するものである。
【００８０】
条件式(７)の上限を超えると、第２Ｂレンズ群Ｇ２Ｂの屈折力が弱くなり、第２Ｃレンズ群Ｇ２Ｃに入射する周辺光線の高さが高くなり、第２Ｃレンズ群Ｇ２Ｃにおける各レンズユニットの偏芯敏感度が大きくなってしまう。
【００８１】
条件式(７)の下限を超えると、第２Ｂレンズ群Ｇ２Ｂの正の屈折力が強くなり、第２Ｂレンズ群Ｇ２Ｂの偏芯敏感度が大きくなってしまう。
【００８２】
さらに、本発明の超広角ズームレンズにおいて、第２Ｃレンズ群Ｇ２Ｃ内には、少なくとも１枚の負レンズと少なくとも１枚の正レンズからなる接合負レンズユニットＬ２ＣＪを有し、条件式（８）を満足することが望ましい。
【００８３】
本発明において、色収差等の収差補正をするため、第２Ｃレンズ群Ｇ２Ｃ内には、負レンズを配置することが必須条件となる。
【００８４】
しかしながら、周辺光束の射出角が大きくなる第２Ｃレンズ群Ｇ２Ｃ内に負レンズを配置すると、収差補正のために負レンズの屈折力が強くなる傾向にあり、負レンズの偏芯敏感度が大きくなってしまう。また、正レンズの屈折力もこれに応じてに強くする必要があり、正レンズの偏芯敏感度も同時に大きくなってしまう。
【００８５】
したがって、屈折力が強い負レンズと正レンズを接合し、接合負レンズユニット全体の焦点距離を適切に設定することで、十分な収差補正効果を得つつ、偏芯敏感度を小さくすることができる。 
【００８６】
そのため、本発明は、次の条件式（８）を満足することが望ましい。
(８)−１５．０＜ｆ２ＣＪ／ｆｗ＜−２．０
但し、
ｆｗ：広角端におけるレンズ全系の焦点距離
ｆ２ＣＪ：第２Ｃレンズ群Ｇ２Ｃ内の接合負レンズユニットＬ２ＣＪの焦点距離
【００８７】
条件式(８)は、本発明の超広角ズームレンズにおいて、広角端でのレンズ全系の焦点距離に対する第２Ｃレンズ群Ｇ２Ｃ内の接合負レンズユニット全体の焦点距離の比を規定するものである。
【００８８】
条件式(８)の上限を超えると、接合負レンズユニットＬ２ＣＪの負の屈折力が強くなるため、偏芯敏感度が大きくなってしまう。
【００８９】
条件式(８)の下限を超えると、接合負レンズユニットＬ２ＣＪの負の屈折力が小さくなるため、収差補正効果が不十分となる。
【００９０】
さらに、本発明において、第２Ｃレンズ群Ｇ２Ｃ内の接合負レンズユニットは、条件式（９）及び条件式（１０）を同時に満足することが望ましい。
【００９１】
条件式(９)は、第２Ｃレンズ群Ｇ２Ｃ内の接合負レンズユニットを構成する負レンズの屈折率を規定したものであり、条件式(１０)は、第２Ｃレンズ群Ｇ２Ｃ内の接合負レンズユニットを構成する正レンズのアッべ数を規定したものである。
(９)Ｎｄ２ＣＮ＞１．８
(１０)νｄ２ＣＰ＞８０
但し、
Ｎｄ２ＣＮ：接合負レンズユニットＬ２ＣＪ内における少なくとも１枚の負レンズの屈折率
νｄ２ＣＰ：接合負レンズユニットＬ２ＣＪ内における少なくとも１枚の正レンズのアッベ数
【００９２】
第２Ｃレンズ群Ｇ２Ｃ内の接合負レンズユニットを構成する負レンズの屈折力を、条件式（９）の範囲内とすることで、負レンズの屈折力を維持しつつ各レンズ面の曲率を小さくすることができる。
【００９３】
また、第２Ｃレンズ群Ｇ２Ｃ内の接合負レンズユニットを構成する正レンズのアッベ数を条件式（１０）の範囲内とすることで、広角レンズで問題となる倍率色収差を補正することができると同時に、接合負レンズユニットの屈折力を維持しつつ、接合面の曲率を小さくすることができ、正レンズ及び負レンズそれぞれの屈折力を小さくできる。
【００９４】
以下に本発明の超広角レンズ系に係る数値実施例１乃至数値実施例６を示す。
【００９５】
数値実施例１乃至数値実施例２は、本願特許請求の範囲における請求項１乃至請求項２に対応し、数値実施例３乃至数値実施例６は、本願特許請求の範囲における請求項１乃至請求項６に対応する。すなわち、数値実施例１乃至数値実施例２は、本発明に係る超広角レンズ系の超広角レンズについての数値実施例を示し、数値実施例３乃至数値実施例６は、本発明に係る超広角レンズ系の超広角ズームレンズについての数値実施例を示す。
【００９６】
各数値実施例において、［全体諸元］中のｆは焦点距離、ＦｎｏはＦナンバー、２ωは画角を示す。また、［レンズ諸元］中の番号は物体側からのレンズの面番号、Ｒはレンズ面の曲率半径、Ｄはレンズの厚さおよび間隔、ｎｄはｄ線の屈折率、νｄはｄ線のアッベ数を示す。絞りは絞り面の位置を示す。＊印は非球面を示し、空気の屈折率ｎ＝１．００００はその記載を省略する。また、ｆｂはバックフォーカス、ｄｎ面は各レンズ面のレンズ間隔を示し、ｄ０面は被写体から第１レンズ面までの距離を示す。［可変間隔］は、無限遠撮影時及び１／４０倍相当撮影時における、各焦点距離ｆについてのレンズ面の可変間隔を示している。
【００９７】
（非球面データ）には、Ｎ番目のレンズ面における非球面の形状を、次式で表した場合の非球面係数、コーニック係数を表す。
0005486385.tif 000002
なお、「Ｅ−n」は「×１０−n」を示し、例えば、「１．２３４Ｅ−４ 」は「１．２３４×１０−４」を示す。 
【００９８】
図中のｄ線、ｇ線、Ｃ線はそれぞれの波長に対する収差であり、ΔＳはサジタル像面、ΔＭはメリジオナル像面を示す。
【００９９】
実施例１
［レンズ諸元］
Ｒ          Ｄ        ｎｄ       νｄ
[0]                          d0
[1]          33.6140     1.8000    2.00099      29.14
[2]          23.3110     5.9510
[3]*         53.3560     2.5000    1.77250      49.62
[4]          19.8000         d4
[5]*         28.9640     1.5160    1.77250      49.62
[6]          14.9770     6.2330
[7]        1222.1100     0.9000    1.77250      49.62
[8]          40.1870     2.5940
[9]        3721.5600     2.0690    2.00099      29.14
[10]        -79.8070        d10
[11]            絞り     7.3400
[12]         39.5970     0.8000    1.83481      42.72
[13]          8.5660     3.7920    1.84666      23.78
[14]        -58.3000     1.2000
[15]         81.8260     3.6800    1.43700      95.00
[16]        -11.2950     0.8000    2.00099      29.14
[17]         89.4260     0.3440
[18]         27.9990     5.2450    1.43700      95.00
[19]        -15.2120     0.1500
[20]        115.5580     0.8000    2.00099      29.14
[21]         15.8330     8.8490    1.43700      95.00
[22]        -16.8500     0.1500
[23]*       -86.9780     0.1000    1.51840      52.09
[24]        -95.7970     3.4270    1.48749      70.44
[25]        -25.0090         Bf
［全体諸元］
INF
f       8.30
Fno     4.63
2ω   121.50
［可変間隔］
INF        1:40
ｄ0        INF     311.99
ｄ４    9.7500     9.1116
ｄ10   19.7100    20.3484
Ｂｆ     38.30      38.30
［非球面係数］
3面            5面           23面
k         0.7446         2.1725         0.0000
A      4.7858E-05    -6.0640E-05    -6.2501E-06
B     -1.4601E-07     7.5911E-07     6.9395E-08
C      3.0761E-10    -4.2947E-09     1.6866E-10
D     -4.2796E-13     1.3586E-11     1.0289E-12
E      2.5165E-16    -1.7386E-14     0.0000E+00
［条件式対応値］
実施例１
条件式（１）                 |f1/ｆｗ|      1.54   （f1/ｆｗ=-1.54）
条件式（２）                   f1B/f1A      1.33
条件式（３）                     f2/fw      3.50
条件式（４）                  f2asp/f2      2.44
【０１００】
実施例２
［レンズ諸元］
Ｒ          Ｄ        ｎｄ       νｄ
[0]                          d0
[1]          34.3750     1.8000    1.91082      35.25
[2]          23.4720     9.2000
[3]*         72.6990     2.5000    1.76930      49.28
[4]          23.0780         d4
[5]*         47.7330     1.7570    1.76930      49.28
[6]*         21.8960     7.5000
[7]        -262.3990     0.9000    1.84666      23.78
[8]          52.4890     3.1140
[9]         500.0000     3.0520    1.62004      36.30
[10]        -49.8320        d10
[11]            絞り     2.9440
[12]         67.5990     0.8000    1.77250      49.62
[13]          7.9450     3.1050    1.75519      27.53
[14]       -122.5310     7.9250
[15]        -72.0800     4.6430    1.43700      95.00
[16]        -10.3760     0.8000    2.00099      29.14
[17]        -19.8560     0.1500
[18]         50.7980     5.5010    1.43700      95.00
[19]        -17.7910     0.1500
[20]        -42.0480     0.8000    2.00099      29.14
[21]         55.8340     7.6420    1.43700      95.00
[22]        -16.0110     0.3120
[23]*       -26.2430     2.1130    1.49710      81.56
[24]        -18.2650         Bf
［全体諸元］
INF
f       8.30
Fno     4.65
2ω   121.49
［可変間隔］
INF        1:40
ｄ0        INF     308.99
ｄ４    9.7500     8.8309
d10    21.2430    22.1621
Ｂｆ     38.30      38.30
［非球面係数］
3面            5面            6面           23面
k        -6.3913         6.6751         0.1908         0.0000
A      5.5786E-05     1.0083E-05     9.1117E-05    -4.3805E-05
B     -1.9136E-07     4.2135E-07    -2.8995E-07    -9.9854E-08
C      3.9382E-10    -3.3289E-09     1.7766E-10     2.6900E-10
D     -4.6753E-13     1.1263E-11    -3.9045E-13    -4.5155E-12
E      2.3274E-16    -1.5424E-14     1.3186E-15     0.0000E+00
［条件式対応値］
実施例２
条件式（１）                 |f1/ｆｗ|      1.78   （f1/ｆｗ=-1.78）
条件式（２）                   f1B/f1A      1.62
条件式（３）                     f2/fw      3.65
条件式（４）                  f2asp/f2      3.67
【０１０１】
実施例３
［レンズ諸元］
Ｒ          Ｄ        ｎｄ       νｄ
[0]                          d0
[1]          34.3750     1.8000    1.91082      35.25
[2]          23.4720     9.2000
[3]*         79.2550     2.5000    1.77250      49.62
[4]          20.8930         d4
[5]*         31.9510     1.6000    1.77250      49.62
[6]          17.1890     7.4930
[7]         -56.4400     0.9000    2.00069      25.46
[8]          91.4700     5.5940
[9]          86.7650     3.1340    2.00099      29.14
[10]        -95.1710        d10
[11]         36.6290     0.8000    1.77250      49.62
[12]          9.2140     3.1340    1.69895      30.05
[13]       -108.4040     1.4100
[14]            絞り        d14
[15]       -373.7020     2.8430    1.43700      95.00
[16]        -11.0060     0.8000    1.77250      49.62
[17]        -44.8740     0.5730
[18]        111.6480     3.1830    1.43700      95.00
[19]        -15.1510        d19
[20]         46.5500     1.6620    1.49700      81.61
[21]    -107983.0770     0.8500    2.00099      29.14
[22]         13.7690     3.2280    1.43700      95.00
[23]         87.4310     5.1940
[24]        251.8150     4.3250    1.43700      95.00
[25]        -22.8800     0.1500
[26]*       -36.4280     0.1500    1.51840      52.09
[27]        -34.1960     3.6210    1.48749      70.44
[28]        -19.0050         Bf
［全体諸元］
広角端  中望遠  望遠端
f       8.30   11.99   15.40
Fno     4.62    5.08    5.54
2ω   121.55   99.49   84.51
（無限遠撮影時の変倍における可変間隔）
f         8.30      11.99      15.40
ｄ0     ＩＮＦ     ＩＮＦ     ＩＮＦ
ｄ4     9.7500     9.7500     9.7500
ｄ10   29.7250    10.8512     1.8500
ｄ14    7.3660     4.0598     1.5281
ｄ19    0.8500     5.0709     8.1147
ｆｂ     38.35      42.90      47.80
（１／４０倍相当撮影時の変倍における可変間隔）
f         8.30      11.99      15.40
ｄ0   309.8172   458.2347   591.8072
ｄ4     8.6504     8.9958     9.1619
ｄ10   30.8246    11.6054     2.4381
ｄ14    7.3660     4.0598     1.5281
ｄ19    0.8500     5.0709     8.1147
ｆｂ     38.35      42.90      47.80
［非球面係数］
3面            5面           26面
k         5.8936         0.3004         0.0000
A      3.7333E-05    -2.6245E-05    -1.0868E-05
B     -1.2605E-07     4.0392E-07     2.8571E-08
C      3.2038E-10    -2.2937E-09     1.4666E-10
D     -4.8867E-13     8.1094E-12     2.5303E-13
E      3.0166E-16    -1.0578E-14     0.0000E+00
［条件式対応値］
実施例３
条件式（１）                 |f1/ｆｗ|      1.80   （f1/ｆｗ=-1.80）
条件式（２）                   f1B/f1A      2.04
条件式（３）                     f2/fw      4.47
条件式（４）                  f2asp/f2      2.05
条件式（５）                   ｆ2A/fw      6.21
条件式（６）                  |f2C/fw|     11.26   （f2c/fw=11.26）
条件式（７）                    f2B/fw      6.03
条件式（８）                ｆ2CJ/ｆｗ     -3.46
条件式（９）                     Nd2CN      2.00
条件式（１０）                  νd2CP     81.61
【０１０２】
実施例４
［レンズ諸元］
Ｒ          Ｄ        ｎｄ       νｄ
[0]                          d0
[1]          34.3750     2.0000    1.91082      35.25
[2]          23.3150     9.2170
[3]*         77.6090     3.5000    1.77250      49.62
[4]*         19.1010         d4
[5]*         26.0000     1.7980    1.77250      49.62
[6]          14.7640     5.9220
[7]        -381.6040     0.9000    2.00099      29.14
[8]          30.2180     0.4890
[9]          24.8920     3.9020    1.91082      35.25
[10]        243.7050        d10
[11]            絞り     1.5000
[12]         42.6160     0.8000    1.77250      49.62
[13]          9.2450     2.7100    1.72824      28.32
[14]       -143.9350        d14
[15]        -45.5130     4.4770    1.43700      95.00
[16]         -9.2270     0.8000    1.77250      49.62
[17]        -19.2810     0.1570
[18]         71.8320     4.6280    1.43700      95.00
[19]        -16.2590        d19
[20]        -59.9590     2.3340    1.49700      81.61
[21]        -24.4780     0.8500    1.91082      35.25
[22]         20.2420     7.5030    1.43700      95.00
[23]        -22.9000     1.1340
[24]       1000.0000     5.9290    1.43700      95.00
[25]        -22.8720     0.2010
[26]*       -30.2480     0.1000    1.51840      52.09
[27]        -28.8280     2.5180    1.48749      70.44
[28]        -22.4090         Bf
［全体諸元］
広角端  中望遠  望遠端
f       8.30   12.00   15.40
Fno     4.60    4.98    5.48
2ω   121.51  100.24   84.50
（無限遠撮影時の変倍における可変間隔）
f         8.30      12.00      15.40
ｄ0     ＩＮＦ     ＩＮＦ     ＩＮＦ
ｄ4     9.7500     9.7500     9.7500
ｄ10   21.7440     9.3400     4.1590
ｄ14    8.9380     4.8490     1.4570
ｄ19    0.9000     5.0490     8.8610
ｆｂ     38.30      42.74      46.40
（１／４０倍相当撮影時の変倍における可変間隔）
f         8.30      12.00      15.40
ｄ0   307.0004   454.8709   590.9750
ｄ4     9.1160     9.3137     9.4109
ｄ10   22.3780     9.7763     4.4981
ｄ14    8.9380     4.8490     1.4570
ｄ19    0.9000     5.0490     8.8610
ｆｂ     38.30      42.74      46.40
［非球面係数］
3面            4面            5面           26面
k         6.1544        -1.1163         1.7080         0.0000
A      3.1091E-05     1.3029E-05    -3.4617E-05    -1.0691E-05
B     -1.0600E-07     5.7507E-08     3.5229E-07     2.0126E-08
C      2.3118E-10    -4.0726E-10    -2.6930E-09    -2.8886E-11
D     -2.3614E-13     1.6176E-12     1.2629E-11     4.4481E-13
E      8.7678E-17     0.0000E+00    -2.5895E-14     0.0000E+00
［条件式対応値］
実施例４
条件式（１）                 |f1/ｆｗ|      1.46   （f1/ｆｗ=-1.46）
条件式（２）                   f1B/f1A      1.90
条件式（３）                     f2/fw      4.05
条件式（４）                  f2asp/f2      4.72
条件式（５）                   ｆ2A/fw      6.59
条件式（６）                  |f2C/fw|     10.57   （f2c/fw=10.57）
条件式（７）                    f2B/fw      4.07
条件式（８）                ｆ2CJ/ｆｗ     -4.83
条件式（９）                     Nd2CN      1.91
条件式（１０）                  νd2CP     81.61
【０１０３】
実施例５
［レンズ諸元］
Ｒ          Ｄ        ｎｄ       νｄ
[0]                          d0
[1]          34.1880     1.8000    1.91082      35.25
[2]          23.3380     8.0770
[3]*         51.6340     2.5000    1.77250      49.62
[4]*         17.5210         d4
[5]*         24.8310     1.6000    1.77250      49.62
[6]          16.4500     7.9430
[7]         -45.5060     0.9000    2.00069      25.46
[8]         548.0210     7.2220
[9]        -118.3220     2.1390    2.00099      29.14
[10]        -48.3670        d10
[11]            絞り     1.5000
[12]         55.0360     0.8000    1.77250      49.62
[13]          8.2950     3.4720    1.75519      27.53
[14]       -316.2530        d14
[15]         21.0760     3.6110    1.43700      95.00
[16]        -11.0580     0.8000    1.77250      49.62
[17]        -33.1180     1.7400
[18]         68.0960     2.7780    1.43700      95.00
[19]        -16.9520        d19
[20]        -30.7740     0.8000    2.00099      29.14
[21]         15.8860     5.7280    1.43700      95.00
[22]        -12.1500     0.7300
[23]*       -15.3830     0.1000    1.51840      52.09
[24]        -15.6800     2.1730    1.48749      70.44
[25]        -12.7400         Bf
［全体諸元］
広角端  中望遠  望遠端
f       8.30   11.99   15.40
Fno     4.64    5.09    5.54
2ω   122.14   99.71   84.56
（無限遠撮影時の変倍における可変間隔）
f         8.30      11.99      15.40
ｄ0     ＩＮＦ     ＩＮＦ     ＩＮＦ
ｄ4     9.7500     9.7500     9.7500
ｄ10   25.2680     9.3920     1.8500
ｄ14    4.8890     2.6820     1.2000
ｄ19    0.9000     1.9540     2.9600
ｆｂ     38.29      43.72      48.21
（１／４０倍相当撮影時の変倍における可変間隔）
f         8.30      11.99      15.40
ｄ0   309.5055   456.0853   594.5946
ｄ4     8.9500     9.1980     9.3230
ｄ10   26.0680     9.9440     2.2770
ｄ14    4.8890     2.6820     1.2000
ｄ19    0.9000     1.9540     2.9600
ｆｂ     38.29      43.72      48.21
［非球面係数］
3面            4面            5面           23面
k        -0.2837        -0.1021         1.3664         0.0000
A      2.2520E-05    -3.0309E-05    -5.2435E-05    -4.5987E-05
B     -7.0753E-08     6.0042E-08     5.6070E-07     1.0904E-07
C      2.9454E-10     1.6355E-10    -3.6372E-09    -3.5203E-09
D     -6.3545E-13    -3.9342E-13     1.3659E-11     6.0649E-11
E      4.8733E-16    -1.8463E-15    -2.3488E-14     0.0000E+00
［条件式対応値］
実施例５
条件式（１）                 |f1/ｆｗ|      1.61   （f1/ｆｗ=-1.61）
条件式（２）                   f1B/f1A      1.90
条件式（３）                     f2/fw      3.81
条件式（４）                  f2asp/f2      3.77
条件式（５）                   ｆ2A/fw      8.44
条件式（６）                  |f2C/fw|     12.05   （f2c/fw=-12.05）
条件式（７）                    f2B/fw      2.80
条件式（８）                ｆ2CJ/ｆｗ     -5.42
条件式（９）                     Nd2CN      2.00
条件式（１０）                  νd2CP     95.08
【０１０４】
実施例６
［レンズ諸元］
Ｒ          Ｄ        ｎｄ       νｄ
[0]                          d0
[1]          34.6620     1.8000    1.91082      35.25
[2]          23.3570     9.2000
[3]*         76.5860     2.5000    1.77250      49.62
[4]          20.0460         d4
[5]*         30.5660     1.6000    1.77250      49.62
[6]          17.7330     7.8400
[7]         -46.2110     0.9000    2.00069      25.46
[8]          94.4310     0.6770
[9]          70.1400     3.8740    2.00099      29.14
[10]        -70.3510        d10
[11]            絞り     1.5000
[12]         49.9880     0.8000    1.77250      49.62
[13]          8.6860     4.7220    1.72825      28.32
[14]       -178.3090        d14
[15]         82.8350     3.9790    1.43700      95.00
[16]         -9.8500     0.8000    1.77250      49.62
[17]        -25.8020     1.4250
[18]         66.8400     4.1340    1.43700      95.00
[19]        -15.3930        d19
[20]        -33.3250     0.8000    2.00099      29.14
[21]         29.3000     6.4580    1.43700      95.00
[22]        -14.9060     0.6790
[23]*       -19.8090     0.1000    1.51840      52.09
[24]        -17.9500     2.3970    1.48749      70.44
[25]        -14.7180         Bf
［全体諸元］
広角端  中望遠  望遠端
f       8.30   12.00   15.40
Fno     4.63    5.00    5.44
2ω   122.03  100.04   84.57
（無限遠撮影時の変倍における可変間隔）
f         8.30      12.00      15.40
ｄ0     ＩＮＦ     ＩＮＦ     ＩＮＦ
ｄ4     9.7500     9.7500     9.7500
ｄ10   27.5190    11.9640     4.9600
ｄ14    6.9270     3.6570     1.2000
ｄ19    0.9000     3.2450     5.3470
ｆｂ     38.30      42.17      45.41
（１／４０倍相当撮影時の変倍における可変間隔）
f         8.30      12.00      15.40
ｄ0   310.4125   453.0260   592.1315
ｄ4     8.8226     9.1040     9.2515
ｄ10   28.4464    12.6100     5.4585
ｄ14    6.9270     3.6570     1.2000
ｄ19    0.9000     3.2450     5.3470
ｆｂ     38.30      42.17      45.41
［非球面係数］
3面            5面           23面
k       -13.1740         2.2330         0.0000
A      4.2809E-05    -3.5996E-05    -5.0159E-05
B     -1.3221E-07     4.3319E-07    -8.9341E-08
C      3.0885E-10    -2.7645E-09    -6.6527E-10
D     -4.2443E-13     1.0003E-11    -3.3980E-12
E      2.4579E-16    -1.5507E-14     0.0000E+00
［条件式対応値］
実施例６
条件式（１）                 |f1/ｆｗ|      1.69   （f1/ｆｗ=-1.69）
条件式（２）                   f1B/f1A      2.23
条件式（３）                     f2/fw      3.81
条件式（４）                  f2asp/f2      3.15
条件式（５）                   ｆ2A/fw      8.40
条件式（６）                  |f2C/fw|   1204.78   （f2c/fw=-1204.78）
条件式（７）                    f2B/fw      3.37
条件式（８）                ｆ2CJ/ｆｗ     -9.04
条件式（９）                     Nd2CN      2.00
条件式（１０）                  νd2CP     95.08
【符号の説明】
【０１０５】
Ｇ１  第１レンズ群
Ｇ２  第２レンズ群
Ｇ１Ａ  第１Ａレンズ群
Ｇ１Ｂ  第１Ｂレンズ群
Ｇ２Ａ  第２Ａレンズ群
Ｇ２Ｂ  第２Ｂレンズ群
Ｇ２Ｃ  第２Ｃレンズ群
Ｌ１  第１レンズ
Ｌ２  第２レンズ
Ｌ３  第３レンズ
Ｌ２ａｓｐ  第２レンズ群Ｇ２内の少なくとも１面に非球面を有する正レンズユニット
Ｌ２ＣＪ  第２Ｃレンズ群Ｇ２Ｃ内の接合負レンズユニット
ＳＰ  絞り
ＩＰ  像面
ｄ  ｄ線
ｇ  ｇ線
Ｃ  Ｃ線
ΔＳ  サジタル像面
ΔＭ  メリジオナル像面
【図１】
0005486385.tif 000003
【図２】
0005486385.tif 000004
【図３】
0005486385.tif 000005
【図４】
0005486385.tif 000006
【図５】
0005486385.tif 000007
【図６】
0005486385.tif 000008
【図７】
0005486385.tif 000009
【図８】
0005486385.tif 000010
【図９】
0005486385.tif 000011
【図１０】
0005486385.tif 000012
【図１１】
0005486385.tif 000013
【図１２】
0005486385.tif 000014
【図１３】
0005486385.tif 000015
【図１４】
0005486385.tif 000016
【図１５】
0005486385.tif 000017
【図１６】
0005486385.tif 000018
【図１７】
0005486385.tif 000019
【図１８】
0005486385.tif 000020
【図１９】
0005486385.tif 000021
【図２０】
0005486385.tif 000022
【図２１】
0005486385.tif 000023
【図２２】
0005486385.tif 000024
【図２３】
0005486385.tif 000025
【図２４】
0005486385.tif 000026
【図２５】
0005486385.tif 000027
【図２６】
0005486385.tif 000028
【図２７】
0005486385.tif 000029
【図２８】
0005486385.tif 000030
【図２９】
0005486385.tif 000031
【図３０】
0005486385.tif 000032
【図３１】
0005486385.tif 000033
【図３２】
0005486385.tif 000034
【図３３】
0005486385.tif 000035
【図３４】
0005486385.tif 000036
【図３５】
0005486385.tif 000037
【図３６】
0005486385.tif 000038
【図３７】
0005486385.tif 000039
【図３８】
0005486385.tif 000040
【図３９】
0005486385.tif 000041
【図４０】
0005486385.tif 000042
【図４１】
0005486385.tif 000043
【図４２】
0005486385.tif 000044
【図４３】
0005486385.tif 000045
【図４４】
0005486385.tif 000046
【図４５】
0005486385.tif 000047
【図４６】
0005486385.tif 000048
【図４７】
0005486385.tif 000049
【図４８】
0005486385.tif 000050
【図４９】
0005486385.tif 000051
【図５０】
0005486385.tif 000052
【図５１】
0005486385.tif 000053
【図５２】
0005486385.tif 000054
【図５３】
0005486385.tif 000055
【図５４】
0005486385.tif 000056
【図５５】
0005486385.tif 000057
【図５６】
0005486385.tif 000058
【図５７】
0005486385.tif 000059
【図５８】
0005486385.tif 000060
【図５９】
0005486385.tif 000061
【図６０】
0005486385.tif 000062
【図６１】
0005486385.tif 000063
【図６２】
0005486385.tif 000064